(57)【要約】      （修正有）【課題】見掛けライン位置と真のライン位置との変化量が少なくするライン表示具を提供する。【解決手段】床材５に、加電表示具１０を載置し、加電表示具１０の厚さＫより大きい凹部Ｍを形成した透明なポリカーボネートの保護部材８を、加電表示具１０に覆いかぶせるように加電表示具１０を保護部材８に収納し、床材５の溝に嵌合したものである。床の一部であるライン上で競技者が飛び跳ねるなどの運動を行い、強い踏み力が保護部材８に加わった場合、踏み力は保護部材８の凹部の深さＭが加電表示具１０の厚さＫより、大きいので踏み力は凹部の両端部と接する床材５に伝わり、加電表示体１０にはまったく伝わらない。したがって、保護部材８が撓みや歪みを生じたとしても、歪みを保護部材８のみで吸収することができるので、加電表示具１０には荷重が伝わることがない。したがって、踏み力によって加電表示具１０が破損する恐れはない。【選択図】        図１
2004275698.tif 000002
【特許請求の範囲】
【請求項１】
運動競技を行う床に設置された加電表示具への電力を制御することにより前記床に競技用のラインを表示することが可能なライン表示具において、
前記ライン表示具は、前記加電表示具を保護するため下面に前記加電表示具を収納する凹部を形成した保護部材を、前記床を構成する床材の表面の側に形成した溝に、前記保護部材の上面が前記床の表面の一部を形成するように嵌合し、前記保護部材の前記凹部に前記加電表示具を内装した構成とすることを特徴とするライン表示具。
【請求項２】
運動競技を行う床に設置された加電表示具への電力を制御することにより前記床に競技用のラインを表示することが可能なライン表示具において、
前記ライン表示具は、前記加電表示具を保護するため保護部材を、前記床を構成する床材の表面の側に幅の大きい広溝を、前記広溝に続けて幅の狭い狭溝を段差を設けて形成し、前記広溝に前記保護部材の上面が前記床の表面の一部を形成するように嵌合し、前記保護部材の下面の前記狭溝に前記加電表示具を内装した構成とすることを特徴とするライン表示具。
【請求項３】
前記加電表示具の表示幅を競技用のラインの幅より大きくし、一対の帯状材を前記床の表面に貼着し前記競技用のラインの幅を形成した構成とすることを特徴とする請求項１ないし２のいずれか一つに記載のライン表示具。
【請求項４】
前記保護部材と前記床材との接合する境界面が、前記加電表示具により前記競技用のラインを表示している時に明るく反射する色彩とした構成とすることを特徴とする請求項１ないし２のいずれか一つに記載のライン表示具。
【請求項５】
前記加電表示具が前記保護部材の下面部に担持して内装する構成とすることを特徴とする請求項１ないし２のいずれか一つに記載のライン表示具。
【発明の詳細な説明】
【０００１】
【発明の属する技術分野】
本発明は、運動競技を行う場所の床に競技用のラインを表示するためのライン表示具に関する。このライン表示具は、多種類の運動競技を行う公共の体育館の床などに用いて好適である。
【０００２】
【従来の技術】
学校や市民向けの体育館では、バレーボール、バスケットボール、剣道、バドミントン、ハンドボールなど、多種類の運動競技が行われることが多い。このため、従来から体育館の床には、各運動競技ごとに色の異なる塗料や接着テープでラインが表示されている。しかし、こうして体育館の床に描かれた様々な色のラインは、床面を見る者ものに煩雑な感じを与え、著しく美観を損なうこととなっていた。また、競技者や審判員は、どの色のラインが現在競技中のラインであるかということを常に意識しなければならず、判断が困難で判りづらいという不具合があった。
【０００３】
こうした不具合を解決するため、従来より、ライン表示装置が知られている。このライン表示装置は、運動競技を行う床に設置され、電力を供給することにより競技用の床に各種競技用の複数のラインを表示することが可能なライン表示具と、複数のラインの中から競技種目に応じたラインを選択して表示させるようにライン表示具を制御することが可能なライン制御具とが備えられている。例えば、特許文献１には、エレクトロルミネッセンス材や液晶や温度感応発色体を用いたライン表示具が記載されている。
【特許文献１】
特開平７−３９６１６号公報（第４頁  図４）
【０００４】
こうした、従来のライン表示装置によれば、ライン制御具によって必要とされるラインのみを発光または発色させることにより、現在競技中のラインを他のラインと区別するためのライン表示具は、液晶発色体や透明電極などから構成する加電表示具を保護するための保護部材と床材との間に前記加電表示具を狭持した構成で床に設置されいた。
図５は従来のライン表示具の設置例をラインに直角に示す横断面図の一例である。
図５において、ライン表示具は床の表面６に形成した幅Ｈの溝に、絶縁材層２４と金属電極２３と液晶発色体２１と透明電極２２から成る加電表示具２０が、透明外被２８と床材５との間に狭持され床に設置されいる。
このような構成で加電表示体２０の液晶発色体２１に電力が加えられ競技用ラインの幅Ｈを表示するようにしたものである。
【０００５】
【発明が解決しようとする課題】
しかしながら、従来のライン表示具は上記のように構成されているから、ライン上つまり床の一部である透明外被の上で競技者などが運動した時に生ずる踏み力は、透明外被と床材との間に狭持された液晶発色体に加わり、液晶発色体などの加電表示体を破損する恐れが多いので、加電表示体の保護部材である透明外被の厚さを薄くできなかった。
さらに、上記の理由から透明外被が厚くなり、競技者などがラインを見る目の位置によって認識する見掛けライン幅と床と垂直の真のライン幅および見掛けライン位置と真のライン位置との変化量が多く発生していることが判明した。
すなわち、図５においてラインを斜め横から見た場合、つまりラインの横の上方の視点Ａからラインを斜視した場合には、ライン幅は液晶発色体２１の幅の一部分の長さＨ６は透明外被２８と透明電極２２を含めた厚さＴに相当する床材５の部分に遮られて透明外被２８と透明電極２２を透視してＸ度として認識する。
このときの見掛けライン幅はＨ２となり、床に垂直に見た場合すなはち競技用の真のライン幅Ｈより狭く見えるのである。この狭く見える量つまり遮られる長さであるＨ６は直角三角形における各辺の長さの定理から、透明外被２８と透明電極２２を含めた厚さＴに正比例しているのである。
また、見掛けライン位置（中心）もＡ点寄りに視認していたのである。
【０００６】
そこで、本発明は、競技者などの運動によって生ずる踏み力が加電表示体に加わらないようにして、踏み力よって加電表示体が破損する恐れを無くすと共に、競技者などがラインを見る目の位置によって認識する見掛けライン幅と床と垂直の真のライン幅および見掛けライン位置と真のライン位置との変化量を少なくしたライン表示具の提供を課題とするものである。
【０００７】
【課題を解決するための手段】
請求項１にかかるライン表示具は、  運動競技を行う床に設置された加電表示具への電力を制御することにより前記床に競技用のラインを表示することが可能なライン表示具において、前記ライン表示具は、前記加電表示具を保護するため下面に前記加電表示具を収納する凹部を形成した保護部材を、前記床を構成する床材の表面の側に形成した溝に、前記保護部材の上面が前記床の表面の一部を形成するように嵌合し、前記保護部材の前記凹部に前記加電表示具を内装した構成とするものである。
【０００８】
請求項２にかかるライン表示具は、運動競技を行う床に設置された加電表示具への電力を制御することにより前記床に競技用のラインを表示することが可能なライン表示具において、前記ライン表示具は、前記加電表示具を保護するため保護部材を、前記床を構成する床材の表面の側に幅の大きい広溝を、前記広溝に続けて幅の狭い狭溝を段差を設けて形成し、前記広溝に前記保護部材の上面が前記床の表面の一部を形成するように嵌合し、前記保護部材の下面の前記狭溝に前記加電表示具を内装した構成とするものである。
請求項３にかかるライン表示具は、前記加電表示具の表示幅を競技用のラインの幅より大きくし、一対の帯状材を前記床の表面に貼着し前記競技用のラインの幅を形成した構成とするものである。
請求項４にかかるライン表示具は、前記保護部材と前記床材との接合する境界面が、前記加電表示具により前記競技用のラインを表示している時に明るく反射する色彩とした構成とするものである。
請求項５にかかるライン表示具は、前記加電表示具が前記保護部材の下面部に担持して内装する構成とするものである。
【０００９】
【発明の実施の形態】
以下、本発明の実施形態を説明する。
図１は本発明の実施形態１であるライン表示具の設置例をラインに直角に示す横断面図である。図２は本発明の実施形態２であるライン表示具の設置例をラインに直角に示す横断面図である。図３は本発明の実施形態３であるライン表示具の設置例をラインに直角に示す横断面図である。図４は本発明の実施形態４であるライン表示具の設置例をラインに直角に示す横断面図である。
本発明による実施の形態１を以下に説明するが、実施の形態２以降においては上記実施の形態１との相違点のみを説明し、上記実施の形態１と同一または相当部分の構成については図面に同一の番号符号を付してその説明を省略する。
なお、図中、従来例と同一符号および同一記号は、従来例の構成部分と同一または相当部分を示すものである。
【００１０】
（実施形態１）
図１は本発明の実施形態１であるライン表示具の設置例をラインに直角に示す横断面図である。
図１において、本実施の形態のライン表示具は運動競技を行う床を構成する床材５の表面６の側に形成したライン状の溝の底の中央部である床材５に、下部電極板１３と透明電極板１２に狭持された液晶発色体などの加電表示体１１から成る加電表示具１０を載置し、前記加電表示具１０の厚さＫより大きい深さＭの凹部を形成した透明なポリカーボネートの保護部材８を、前記加電表示具１０に覆いかぶせるように前記加電表示具１０を前記保護部材８の凹部に内装し、前記保護部材８の上面が前記床の表面の一部を形成するように床材５に形成した前記ライン上の溝に嵌合したものである。
上記のように構成した本実施例において、床の一部であるライン上で競技者が飛び跳ねるなどの運動を行い、強い踏み力が前記保護部材８に加わった場合、踏み力は保護部材８の凹部の深さＭが加電表示具１０の厚さＫより、大きいので踏み力は凹部の両端部と接する床材５に伝わり、加電表示体１０にはまったく伝わらない。
【００１１】
したがって、保護部材８に集中荷重が掛かって保護部材８が撓みや歪みを生じたとしても、凹部の深さＭと加電表示具１０の厚さＫとの差分は歪みを保護部材８のみで吸収することができるので、この場合にも加電表示具１０には荷重が伝わることがない。したがって、踏み力によって加電表示具１０が破損する恐れがない。
また、上記のように保護部材８が踏み力によって、たとえ歪みが生じたとしても加電表示具１０への影響が無いことから、従来のライン表示具の保護部材８の厚さをより薄くすることが出来る。
そのために、高価な保護部材８の材料節約にもなる。
【００１２】
一方、ラインを斜め横から見た場合、つまりラインの横の上方の視点Ａからラインを斜視した場合の見掛けのライン幅Ｈ２は従来の図５では、透明外被２８を透視して加電表示具２０を視度Ｘとして視認するため透明外被２８と透明電極２２を含めた厚さＴに相当する床材５の部分に遮られ床に垂直に見た場合の真のライン幅ＨよりＨ６の長さ分狭く見えるのである。
この狭く見える量つまり遮られる長さであるＨ６は直角三角形における各辺の長さの定理から、透明外被２８と透明電極２２を含めた厚さＴに比例するので、透明外被２８に相当する本実施の形態における保護部材８の厚さを薄くできる本発明では、真のライン幅Ｈと見掛けライン幅Ｈ２との変化量をも少なくすることが出来るのである。
さらに、本発明の本実施例では加電表示具１０の幅より透明な保護部材８の幅Ｈ４を広くすることができるので、従来と同一の視点Ａから見た場合に床材５に遮られる量（つまり従来の図５のＨ６長さ）を無くすこともできる。図１はこの場合（Ｈ６に相当する部分がない場合）を示している。
したがって、見掛けライン幅Ｈ２と真のライン幅Ｈおよび見掛けライン位置と真のライン位置との変化量を共により少ないものとすることが出来る。
【００１３】
このように、上記実施例のライン表示具は、加電表示具１０を保護するため下面に前記加電表示具１０を収納する凹部を形成した保護部材８を、前記床を構成する床材５の表面６の側に形成した溝に、前記保護部材８の上面が前記床の表面６の一部を形成するように嵌合し、前記保護部材８の前記凹部に前記加電表示具１０を内装した構成とするものである。
ところで、加電表示具１０の加電表示体１１としては、液晶、エレクトロ・ルミネッセンス材、調光ガラス、温度感応発色体はもとより電子泳動式表示素子のように一度電圧をかければ、継続して加電しなくてもライン表示を維持することが出来る物でもよい。すなわち加電表示体は電力の入切によってラインの表示と非表示の切替ができる物であればよい。本発明ではこれらの加電表示体の種類を問うものではないので、以下単に加電表示具１０と称する。
【００１４】
（実施形態２）
図２は本発明の実施形態２であるライン表示具の設置例をラインに直角に示す横断面図である。
図２は、加電表示具１０の表示幅Ｈ３を競技用のラインの幅Ｈより大きくしたものを保護部材８に上記実施の形態１と同様に内装したもので、１７は床面と同系色の帯状材であって、床材５と保護部材８との嵌合する継目を覆うように、かつ帯状材１７の一端がライン幅Ｈの両端を各々示すように床面６に一対の帯状材１７を張着したものである。
その他の構成は上記実施の形態１と同様であり、図面には同一符号を付して、その説明を省略する。
上記の構成において、実施の形態１と同様に視点Ａから視認する見掛けライン幅Ｈ２は、床面６に貼着した一対の帯状材１７の間隔である真のライン幅Ｈから保護部材８などの厚さＴを透視して加電表示具１０を視認するが、真のライン幅Ｈを視度Ｘとして加電表示具１０を見た場合に、加電表示具１０が欠けることなく視野全域に亘って見えるように前記加電表示具１０の幅Ｈ３を大きくしてあるので、見掛けライン幅Ｈ２と真のライン幅Ｈとの変化量を極めて少なくすることができる。
さらに、床材５と保護部材８との嵌合する継目から保護部材８が床面６上に浮き出ることを防止することができる。
【００１５】
（実施の形態３）
図３は本発明の実施形態３であるライン表示具の設置例をラインに直角に示す横断面図である。
図３は、加電表示具１０を保護部材８の凹部に貼着担持して前記保護部材８に内装したものである。
こうすることにより、加電表示具１０をあらかじめ保護部材８に工場などで内装した物を、現場である体育館などの建築現場に持ち込んでのライン表示具の設置が可能となる。
すなわち、保護部材８と加電表示具１０とを一体的に工場で製産できるので、現場での設置作業が少なくなり能率的で品質のよいライン表示具の提供が可能となる。
【００１６】
また、この実施例では保護部材８と床材５との接合する境界面を含め床材５に形成した溝の底の部分にもアルミ箔を反射材１５として敷設している。
こうした構成とすることにより、加電表示具１０の加電表示体が発色あるいは発光して明るくラインを表示している時に、この反射材１５により、保護部材８と床材５と境界面をも明るく反射することになる。
したがって、視点Ａから視認する見掛けライン幅Ｈは真のライン幅Ｈと同一に視認できるので、ラインを斜め横から見た場合の見掛けライン幅と真のライン幅との変化量を無くすことができる。
【００１７】
なお、この実施例では反射材１５としてアルミ箔を用いているが、明るく反射する色彩とすればよいので、保護部材８と床材５と接合する境界面の保護部材８か床材５のどちらかの面に明るく反射する色彩の色を塗布した物を用いてもよい。
さらに、この実施例ではアルミ箔の反射材１５を床材５の溝の底の部分すなわち加電表示具１０を包み込むように敷設しているので、加電表示具１０を保護部材８に貼着することなく、包み込んで保護部材８に加電表示具１０を内装した構成としたものを工場で生産して体育館などの現場で設置することもできる。
そして、上記のように加電表示具１０を包み込んだ場合において、加電表示具１０自体が透光性のある場合には溝の底の部分からも反射光を床面の上から認識できるので好都合である。
【００１８】
（実施の形態４）
図４は本発明の実施形態４であるライン表示具の設置例をラインに直角に示す横断面図である。
図４は、床材５の表面の側に幅の大きい広溝を、この広溝に続けて幅の狭い狭溝を段差を設けて形成し、前記広溝に前記保護部材８を嵌合し前記狭溝の前記保護部材８の下面に加電表示具１０を貼着して内装したものである。
ここで狭溝の深さＭは、加電表示具１０の厚さＫより大きくしておくことにより、実施の形態１で説明したのと同様に踏み力が保護部材８に加わった場合でも内装した加電表示具１０に踏み力は伝わらない。
また、広溝と狭溝を段差を設けて形成することにより保護部材８に凹部を形成する必要がなくなるので保護部材８は単に板状の物でよいから、簡素な形状となり、工場で加電表示具１０と保護部材８とを一体的に製造する場合などには特に効率的で経済的に生産することが可能となる。
【００１９】
なお、加電表示具１０を保護部材８の下面に貼着せずに、狭溝の床材５上に載置してもよい。
さらに、床材５と加電表示具１０と反射材１５および保護部材８を工場で一体的に製造してライン表示具を設けた床板として生産できることはもちろんである。この場合においては、床板の幅Ｈ５やラインの位置Ｈ６をさまざまな寸法の物を取り揃えて、ラインの床への設置位置の調節が簡単にできるようにするのが好ましい。
【００２０】
【発明の効果】
以上のように、請求項１にかかるライン表示具は、前記加電表示具を保護するため下面に前記加電表示具を収納する凹部を形成した保護部材を、前記床を構成する床材の表面の側に形成した溝に、前記保護部材の上面が前記床の表面の一部を形成するように嵌合し、前記保護部材の前記凹部に前記加電表示具を内装した構成とするものである。
したがって、踏み力が保護部材に加わった場合でも、凹部に内装した加電表示具に踏み力は伝わらないので、踏み力によって加電表示具が破損する恐れをなくすことができる。
【００２１】
請求項２にかかるライン表示具は、前記加電表示具を保護するため保護部材を、前記床を構成する床材の表面の側に幅の大きい広溝を、前記広溝に続けて幅の狭い狭溝を段差を設けて形成し、前記広溝に前記保護部材の上面が前記床の表面の一部を形成するように嵌合し、前記保護部材の下面の前記狭溝に前記加電表示具を内装した構成とするものであるから、請求項１の効果に加えて、保護部材は単に板状の物でよいから、簡素な形状にすることができる。
【００２２】
請求項３にかかるライン表示具は、前記加電表示具の表示幅を競技用のラインの幅より大きくし、一対の帯状材を前記床の表面に貼着し前記競技用のラインの幅を形成した構成とするものであるから、請求項１または請求項２のいずれかの効果に加えて、ラインを斜め横から見た場合の見掛けライン幅と真のライン幅の変化量を少なくすることができる。
【００２３】
請求項４にかかるライン表示具は、前記保護部材と前記床材との接合する境界面が、前記加電表示具により前記競技用のラインを表示している時に明るく反射する色彩とした構成とするものであるから、請求項１または請求項２のいずれかの効果に加えて、ラインを斜め横から見た場合の見掛けライン幅と真のライン幅との変化量を無くすことができる。
【００２４】
請求項５にかかるライン表示具は、前記加電表示具が前記保護部材の下面部に担持して内装する構成とするものであるから、請求項１または請求項２のいずれかの効果に加えて、加電表示具と保護部材を一体的に製造することができる。
【図面の簡単な説明】
【図１】図１は本発明の実施形態１であるライン表示具の設置例をラインに直角に示す横断面図である。
【図２】図２は本発明の実施形態２であるライン表示具の設置例をラインに直角に示す横断面図である。
【図３】図３は本発明の実施形態３であるライン表示具の設置例をラインに直角に示す横断面図である。
【図４】図４は本発明の実施形態４であるライン表示具の設置例をラインに直角に示す横断面図である。
【図５】図５は従来のライン表示具の設置例をラインに直角に示す横断面図の一例である。
【符号の説明】
５    床材
６    床の表面
８    保護部材              ２８  透明外被
１０  加電表示具
１５  反射材
１７  帯状材
Ｈ    ライン幅
Ｈ２  見掛けライン幅
Ｘ    視角
【図１】
2004275698.tif 000003
【図２】
2004275698.tif 000004
【図３】
2004275698.tif 000005
【図４】
2004275698.tif 000006
【図５】
2004275698.tif 000007